(57)【特許請求の範囲】
【請求項１】
建物開口部に沿って備えられる枠体と、
前記枠体の枠内に該枠体の見付け方向に複数並列して設けられる板状のルーバーパネルを具備するルーバー羽根と、
前記枠体に取り付けられ、前記ルーバー羽根を滑り出し式に開閉させる開閉機構と、を備え、
前記開閉機構は、前記ルーバー羽根を保持するホルダーを具備し、
前記ルーバー羽根は、前記枠体の縦枠の見付け方向内側面間の距離のうち最も短い部位の距離より長い幅を有しているとともに、前記ルーバー羽根は、前記開閉機構が前記枠体に取り付けられた姿勢で前記ホルダーから着脱可能に保持され、
複数並列して設けられた前記ルーバー羽根のそれぞれは、室外側に面する室外側ルーバー羽根と、室内側に面する室内側ルーバー羽根と、を有し、
前記枠体のうち、上横枠はその長手方向断面において見付け方向内側に開口した中空部を具備し、
前記ホルダーには前記室外側ルーバー羽根、及び前記室内側ルーバー羽根の幅方向端部を保持する間隙を形成する立設部が設けられており、
最も前記上横枠に近い位置に配置される前記ホルダーの立設部のうち室外側に配置される前記立設部は、前記室外側ルーバー羽根の上端を前記上横枠の前記中空部に差し込んで配置した姿勢で前記ホルダーを滑り出し式に移動させても、前記室外側ルーバー羽根に接触しない位置に配置されている、ルーバー窓。
【請求項２】
前記最も前記上横枠に近い位置に配置される前記ホルダーにおいて、前記立設部のうち室内側に配置される前記立設部は、前記室内側ルーバー羽根の上端を前記上横枠の前記中空部に差し込んで配置した姿勢で前記ホルダーを滑り出し式に移動させても、前記室内側ルーバー羽根に接触しない位置に配置されている、請求項１に記載のルーバー窓。
【請求項３】
前記室外側ルーバー羽根又は前記室内側ルーバー羽根の少なくとも一方には、その幅方向両端に、該幅方向に前記ホルダーが移動することを規制する被係合部を形成する端部部材が具備され、前記ホルダーには前記端部部材に係合する係合部が設けられている、請求項１又は２に記載のルーバー窓。
【請求項４】
前記ルーバー羽根が閉鎖された姿勢において、前記室内側ルーバー羽根が室内側面で面一とされる、請求項１〜３のいずれか一項に記載のルーバー窓。
【請求項５】
前記ルーバー羽根の閉鎖の姿勢において、前記ホルダーが、室内側正面視で前記枠体により隠蔽されている請求項１〜４のいずれか一項に記載のルーバー窓。
【請求項６】
ルーバー窓を施工する方法であって、
枠体の枠内に見付け方向に複数並列して設けられるルーバー羽根を、滑り出し式に開閉する開閉機構のホルダーに前記ルーバー羽根を取り付けるに際し、前記ルーバー羽根のうち最も前記枠体の上横枠に近いルーバー羽根は、該ルーバー羽根の上端を前記上横枠に設けられた中空部に差し込み、前記ルーバー羽根の下端部側から前記ホルダーに設けられた間隙に前記ルーバー羽根を差し込んで取り付ける過程を含む、ルーバー窓の施工方法。
【発明の詳細な説明】
【技術分野】
【０００１】
本発明は住宅や公共施設等の建物開口部に好適に用いられるルーバー窓、及びルーバー窓の施工方法に関する。
【背景技術】
【０００２】
建物開口部に備えられる開口部装置の一つとして、ルーバー窓がある。当該ルーバー窓は、開口部に沿って設けられる枠体と、該枠体の枠内に複数並列して備えられるルーバー羽根とを有する。ルーバー羽根は、透光性を有する板状のルーバーパネルを具備しており、開口面の上下方向に沿って並列されている場合が多い。そして複数のルーバー羽根の各々を回動させることで、ルーバー窓が開閉され、室内の換気等を行うことができる。従って、ルーバー窓には、ルーバー羽根を回動させるための機構が設けられており、これを操作部で操作してルーバー羽根を回動させることができる。
【０００３】
具体的には、ルーバー窓は、例えば特許文献１の図４に示されるように、ハンドル等の操作部を操作してアームや連動バーを動作させ、これによってルーバー羽根が回動して開閉がおこなわれる。ここで、当該回動は、ルーバー羽根を保持するホルダーの略中央を軸とした回転であるため、ルーバー羽根が開放されるにつれ、ルーバーパネルの上端は室内側へ、下端は室外側へと移動する。
【０００４】
一方、近年においては、このようなルーバー窓をはじめとする各種窓に対してその換気や採光の機能に加え、内装及び外装の一部としての外観性の機能も求められてるようになってきた。例えば特許文献２に記載のルーバー窓では室内側に設けられた補助枠により、ホルダーが室内視から隠蔽されている。これにより室内視における外観の向上が図られる。
【先行技術文献】
【特許文献】
【０００５】
【特許文献１】特開２０００−１７９２４６号公報
【特許文献２】特開平１１−６２４２１号公報
【発明の概要】
【発明が解決しようとする課題】
【０００６】
ところが、従来におけるルーバー窓は、上記したようにルーバー羽根の回動が、ホルダーの略中央を軸とした回転であるため、ルーバー羽根が開放されるにつれ、ルーバーパネルの上端は室内側へ、下端は室外側へと移動することになる。従って、ルーバーパネルの上端側が室内側へ移動してくるためのスペースを見込んでおく必要があった。
【０００７】
また、特許文献２に記載のようなルーバー窓では、ルーバー羽根の幅が、室内側の縦枠間の向かい合う面同士（縦枠の見付け方向内側面）間の距離よりも大きいため、ルーバー羽根を枠内へ取り付けることに困難があった。室外側からルーバー羽根を取り付けることは容易であるが、室外側からの取り付けは防犯性や設置場所の高さ位置等の観点から好ましくなく、室内側からのルーバー羽根の取り付けが望まれている。
【０００８】
そこで本発明は上記問題点に鑑み、ルーバー羽根の幅方向両端部が室内視で枠体により隠蔽されて外観を向上させることができるとともに、ルーバー羽根の取り付け施工性にも優れるルーバー窓を提供することを課題とする。また、このようなルーバー窓の施工方法を提供する。
【課題を解決するための手段】
【０００９】
以下、本発明について説明する。なお、本発明の理解を容易にするために添付図面の参照符号を括弧書きにて付記するが、それにより本発明が図示の形態に限定されるものではない。また、以下で「見付け方向」とは、全体として概ね平板状であるルーバー窓の平面に沿った方向を意味する。そして「見付け方向内側」は見付け方向のうち、ルーバー窓の中央の方向であり、「見付け方向外側」は見付け方向のうち、ルーバー窓から離れる方向である。また、「見込み方向」とはルーバー窓の厚さ方向を意味し、「見込み方向室外側」とは、ルーバー窓が建物に取り付けられた姿勢で室外側となる方向であり、「見込み方向室内側」は、ルーバー窓が建物に取り付けられた姿勢で室内側となる方向である。
また、「幅方向」とは、ルーバーパネルが滑り出し式に開閉される際に含まれる回動の軸の軸線方向である。
【００１０】
請求項１に記載の発明は、建物開口部に沿って備えられる枠体（１０）と、枠体の枠内に該枠体の見付け方向に複数並列して設けられる板状のルーバーパネル（２１ａ、２２ａ）を具備するルーバー羽根（２０）と、枠体に取り付けられ、ルーバー羽根を滑り出し式に開閉させる開閉機構（３０）と、を備え、開閉機構は、ルーバー羽根を保持するホルダー（３３）を具備し、ルーバー羽根は、枠体の縦枠（１３、１４）の見付け方向内側面間の距離のうち最も短い部位の距離より長い幅を有しているとともに、ルーバー羽根は、開閉機構が枠体に取り付けられた姿勢でホルダーから着脱可能に保持され、複数並列して設けられたルーバー羽根のそれぞれは、室外側に面する室外側ルーバー羽根（２１）と、室内側に面する室内側ルーバー羽根（２２）と、を有し、枠体のうち、上横枠（１１）はその長手方向断面において見付け方向内側に開口した中空部（１１ｄ）を具備し、ホルダーには室外側ルーバー羽根、及び室内側ルーバー羽根の幅方向端部を保持する間隙を形成する立設部（３５、３６、３７）が設けられており、最も上横枠に近い位置に配置されるホルダーの立設部のうち室外側に配置される立設部（３５）は、室外側ルーバー羽根の上端を上横枠の中空部に差し込んで配置した姿勢でホルダーを滑り出し式に移動させても、室外側ルーバー羽根に接触しない位置に配置されている、ルーバー窓（１００）である。
【００１１】
請求項２に記載の発明は、請求項１に記載のルーバー窓（１００）の最も上横枠（１１）に近い位置に配置されるホルダー（３３）において、立設部のうち室内側に配置される立設部（３７）は、室内側ルーバー羽根（２２）の上端を上横枠の中空部（１１ｄ）に差し込んで配置した姿勢でホルダーを滑り出し式に移動させても、室内側ルーバー羽根に接触しない位置に配置されているものである。
【００１２】
請求項３に記載の発明は、請求項１又は２に記載のルーバー窓（１００）において、室外側ルーバー羽根（１２）又は室内側ルーバー羽根（２２）の少なくとも一方には、その幅方向両端に、該幅方向にホルダー（３３）が移動することを規制する被係合部（２４ａ）を形成する端部部材（２４）が具備され、ホルダーには端部部材に係合する係合部（３６ａ）が設けられているものである。
【００１３】
請求項４に記載の発明は、請求項１〜３のいずれか一項に記載のルーバー窓（１００）において、ルーバー羽根（２０）が閉鎖された姿勢において、室内側ルーバー羽根（２２）が室内側面で面一とされる。
【００１４】
請求項５に記載の発明は、請求項１〜４のいずれか一項に記載のルーバー窓（１００）において、ルーバー羽根（２０）の閉鎖の姿勢において、ホルダー（３３）が、室内側正面視で枠体（１０）により隠蔽されている。
【００１５】
請求項６に記載の発明は、ルーバー窓を施工する方法であって、枠体（１０）の枠内に見付け方向に複数並列して設けられるルーバー羽根（２０）を、滑り出し式に開閉する開閉機構（３０）のホルダー（３３）にルーバー羽根を取り付けるに際し、ルーバー羽根のうち最も枠体の上横枠（１１）に近いルーバー羽根は、該ルーバー羽根の上端を上横枠に設けられた中空部（１１ｄ）に差し込み、ルーバー羽根の下端部側からホルダーに設けられた間隙（３３ｃ、３３ｄ）にルーバー羽根を差し込んで取り付ける過程を含む、ルーバー窓の施工方法である。
【発明の効果】
【００１６】
本発明によれば、ルーバー羽根が滑り出し式に開閉されるルーバー窓であるため、ルーバー羽根を開閉させる際、ルーバー羽根の閉鎖の姿勢時よりも室内側にルーバー羽根が突出することがない。これにより、室内側にそのための空間を設ける必要がない。
また、ルーバー羽根の幅を縦枠の見付け方向内側面間の距離のうち最も短い部位の距離より大きくすれば、開閉機構やルーバー羽根の端部の少なくとも一部を室内視から隠蔽することができる。これにより室内視において外観に優れたルーバー窓を提供することが可能である。
【００１７】
また、その際に、ルーバー羽根は、最も上横枠に近いルーバー羽根であっても、開閉機構が枠に取り付けられた姿勢で、ホルダーから着脱できるので、ルーバー羽根の取り付け施工性にも優れる。
【図面の簡単な説明】
【００１８】
【図１】図１（ａ）はルーバー窓の室内側正面視における概略図、図１（ｂ）は同室外側正面視における概略図である。
【図２】図１にＩＩ−ＩＩで示した線に沿ったルーバー窓の垂直方向縦断面を概略的に示す図である。
【図３】図１にＩＩＩ−ＩＩＩで示した線に沿ったルーバー窓の水平方向横断面を概略的に示す図である。
【図４】図４（ａ）は室外側ルーバー羽根の構成を説明するための斜視図、図４（ｂ）は室内側ルーバー羽根の構成を説明するための斜視図である。
【図５】パッキンの形状及び取り付け構造を説明するための図である。
【図６】端部部材の形状及び取り付け構造を説明するための図である。
【図７】開閉機構を説明する図である。
【図８】ホルダーを説明する図である。
【図９】開閉動作を説明するための図である。
【図１０】室外側ルーバー羽根の取り付け手順について説明する図である。
【図１１】室内側ルーバー羽根の取り付け手段について説明する図である。
【図１２】最も上に配置される室外側ルーバー羽根の取り付け手順について説明する図である。
【図１３】最も上に配置される室内側ルーバー羽根の取り付け手段について説明する図である。
【図１４】パッキンの態様を説明するための図である。
【図１５】押さえ部材の形状を説明する斜視図である。
【図１６】押さえ部材の取り付け構造を説明するための図である。
【図１７】ルーバー羽根の他の例の構成を説明するための図である。
【図１８】変形例にかかるルーバー窓の垂直方向断面を概略的に示す図である。
【発明を実施するための形態】
【００１９】
本発明の上記した作用及び利得は、次に説明する発明を実施するための形態から明らかにされる。以下、本発明を図面に示す実施形態に基づき説明する。
【００２０】
図１は、１つの実施形態にかかるルーバー窓１００が建物開口部に取り付けられた姿勢における正面図で、図１（ａ）がルーバー窓１００の室内視正面図、図１（ｂ）が同室外視正面図である。図１のルーバー窓１００は、閉鎖の姿勢にある。図２は、図１（ａ）にＩＩ−ＩＩで示した線（垂直方向）に沿った断面を概略的に示す図である。図３は、図１（ｂ）にＩＩＩ−ＩＩＩで示した線（水平方向）に沿った断面を概略的に示す図である。図２では紙面左が室外側、紙面右が室内側となっている。また、図３では紙面下が室内側、紙面上が室外側となっている。図が煩雑となるのを防ぐため、いずれの図においても、部材の一部は図示を省略することがある。
【００２１】
ルーバー窓１００は、建物開口部の四辺に沿って配置される枠体１０、当該枠体１０の枠内で、見付け方向に複数並列して設けられるルーバー羽根２０、及びルーバー羽根２０を開閉させる開閉機構３０が設けられている。以下に詳しく説明する。
【００２２】
枠体１０は、上下のそれぞれに水平に配置される長尺部材である横枠１１、１２、及び当該横枠１１、１２の端部を渡して設けられる長尺部材である縦枠１３、１４を備えており、これらが枠状に形成されている。また、これら横枠１１、１２及び縦枠１３、１４には樹脂カバー１５、１６、１７、１８が含まれている。
【００２３】
横枠１１は、枠体１０の上横枠に相当する枠材である。横枠１１は、図２に表れる断面を有して紙面奥手前に延在している。横枠１１は、当該断面において見込み方向に延びる片１１ａを備えている。当該片１１ａの見込み方向室外側端部には、見付け方向内側に延びる片１１ｂが設けられている。また、片１１ｂの見付け方向内側端部にはフィンが設けられている。当該フィンは後述する室外側ルーバーパネル２１ａのうち最も上端に配置される室外側ルーバーパネル２１ａと接して、ルーバー窓１００の水密気密を保っている。
一方、片１１ａの見込み方向室内側端部には、見付け方向内側に延びる片１１ｃが設けられている。片１１ｃは図２からわかるようにその下端部が上端部よりも見込み方向室外側となるように傾斜している。また、片１１ｃの見付け方向内側端部は、後述する樹脂カバーと係合する爪部が設けられている。
ここで、横枠１１では、図２からわかるように、片１１ａ、１１ｂ、１１ｃにより略コ字状に空間１１ｄが形成されている。
【００２４】
さらに横枠１１には片１１ｃより見込み方向室内側に見付け方向に延びる片１１ｅが備えられている。当該片１１ｅの見付け方向内側端部には、後述する樹脂カバー１５を掛止するための爪部が設けられている。そして、片１１ａの見付け方向外側面には、見付け方向外側に延びる片１１ｆが設けられ、これが建物躯体に固定されて横枠１１を建物躯体へ取り付け可能としている。
【００２５】
横枠１２は、枠体１０の下横枠に相当する枠材である。横枠１２は、図２に表れる断面を有して紙面奥手前に延在している。横枠１２には、見込み方向に長辺となる略矩形状の中空部１２ａ、及び中空部１２ａより見込み方向室内側に配置される中空部１２ｂが備えられる。中空部１２ａの見付け方向外側には、見付け方向外側に向けて片１２ｃが延びており、これが建物躯体に固定されて横枠１２を建物躯体へ取り付け可能としている。
一方、中空部１２ｂの見付け方向内側面には後述する樹脂カバー１６を掛止するための爪部が２か所設けられている。
【００２６】
縦枠１３、１４は、図３に示される断面を有して、紙面奥手前に延在している。縦枠１３、１４は、見込み方向に延びる片１３ａ、１４ａを備えている。片１３ａ、１４ａの見込み方向室外側端部には見付け方向に延びる片１３ｂ、１４ｂが設けられている。また、片１３ａ、１４ａの見付け方向内側面には見付け方向内側に向かって延びる片１３ｃ、１４ｃが設けられている。片１３ｃ、１４ｃの見付け方向内側端部には見込み方向に延びる片が設けられ、後述する樹脂カバー１７、１８を掛止することができる。
【００２７】
また、片１３ａ、１４ａの見込み方向室内側端部には、見付け方向内側に延びる片１３ｄ、１４ｄが設けられている。片１３ｄ、１４ｄの端部は、後述する樹脂カバー１７、１８を掛止するための爪部が設けられている。
【００２８】
一方、片１３ａ、１４ａのうち、見付け方向外側面には見付け方向外側に向かって片１３ｅ、１４ｅが延びており、これが建物躯体に固定されて縦枠１３、１４を建物躯体に取り付け可能とされている。
【００２９】
樹脂カバー１５、１６は、枠体１０における横枠１１、１２の見付け方向内側面のうち、室内側に寄せられて該内側に沿って配置されている。より詳しくは次の通りである。樹脂カバー１５、１６は、図２に表れる断面において、見込み方向に延びる片１５ａ、１６ａを備えている。片１５ａ、１６ａの見込み方向室内側には、見付け方向外側に向かって爪部１５ｂ、１６ｂが設けられており、横枠１１、１２の爪部に係合している。
また、片１５ａ、１６ａの見込み方向室外側には、見込み方向に並べて設けられた２つのコ字状部１５ｃ、１５ｄ、１６ｃ、１６ｄが設けられている。見付け方向外側に配置されたコ字状部１５ｃ、１６ｃは見付け方向外側に開口部を有し、ここに横枠１１、１２が係合している。一方、見付け方向内側に配置されたコ字状部１５ｄ、１６ｄは見付け方向内側に開口部を有し、内側に係合部材が嵌め込まれている。コ字状部１５ｄ、１６ｄには、例えば網戸用網材の端部が係合部材に巻き込まれるようにして挿入できる。これによればルーバー羽根２０の室内側に網戸が形成され、虫等の室内への侵入が防止される。
【００３０】
また、コ字状部１５ｄ、１６ｄの見込み方向室外側にはシール部材１９が配置されている。シール部材１９は、樹脂カバー１５、１６の室外側面に沿って設けられており、ルーバー窓１００閉鎖の姿勢で、室内側ルーバーパネル２２ａの室内側面に接触し、室内外の気密性、断熱性が確保されている。
【００３１】
樹脂カバー１７、１８は、枠体１０の縦枠１３、１４の見付け方向内側面のうち、室内側に寄せられて該内側に沿って配置されている。より詳しくは次の通りである。樹脂カバー１７、１８は、図３に表れる断面において、見込み方向に延びる片１７ａ、１８ａを備えている。片１７ａ、１８ａの見込み方向室内側には、見付け方向外側に向かって爪部１７ｂ、１８ｂが設けられており、枠体１０側に設けられた上記した片の爪部に係合している。
また、片１７ａ、１８ａの見込み方向室外側には、コ字状に形成されて見付け方向内側に開口するコ字状部１７ｃ、１８ｃが設けられており、ここに係合部材が嵌め込まれている。コ字状部１７ｃ、１８ｃには、例えば網戸用網材の端部が係合部材に巻き込まれるように挿入できる。これによればルーバー羽根２０の室内側に網戸が形成され、虫等の室内への侵入が防止される。
【００３２】
また、コ字状部１７ｃ、１８ｃは、枠体１０に係止できるように構成されており、枠体１０の上記した片の爪部に係合している。さらに、コ字状部１７ｃ、１８ｃの見込み方向室外側にはシール部材１９が配置されている。シール部材１９は、樹脂カバー１７、１８の室外側面に沿って設けられており、ルーバー窓１００閉鎖の姿勢で、室内側ルーバーパネル２２ａの室内側面に接触し、室内外の気密性、断熱性が確保されている。
【００３３】
シール部材１９の材質としては、ルーバー窓１００の気密性、断熱性を向上させることができれば特に限定されないが、軟質の樹脂とすることが好ましく、塩化ビニル製の軟質樹脂とすることが好ましい。
【００３４】
ここで、樹脂カバー１５、１６、１７、１８、及びシール部材１９は、枠体１０の内周面の４周に亘って見込み方向位置が略同一とされている。すなわち、ルーバー窓１００において、気密、断熱ラインが同一の見込み方向位置に存在している。これにより、ルーバー窓１００の断熱性、気密性を向上させることができる。
また、樹脂カバー１７、１８により、枠体１０の幅方向において見付け方向内側面間距離（図３にＡで表わした距離）のうち、最も短い部位が形成される。
【００３５】
次にルーバー羽根２０について説明する。ルーバー羽根２０は、図２、図３からわかるように、室外側ルーバー羽根２１及び室内側ルーバー羽根２２を備えている。図４（ａ）には室外側ルーバー羽根２１の外観斜視図、図４（ｂ）には室内側ルーバー羽根２２の外観斜視図を示した。
【００３６】
室外側ルーバー羽根２１は図４（ａ）からもわかるように、板状の室外側ルーバーパネル２１ａからなる。パネルの材質は特に限定されることはないが、透光性を有するガラスや樹脂が用いられることが好ましい。
【００３７】
室内側ルーバー羽根２２は、図４（ｂ）からわかるように、室内側ルーバーパネル２２ａ、パッキン２３、及び端部部材２４を有している。このうち、室内側ルーバーパネル２２ａは板状の部材であり、透光性を有するガラスや樹脂により形成されている。
【００３８】
パッキン２３は、室内側ルーバーパネル２２ａの上端面に該室内側ルーバーパネルの幅方向に沿って配置されている。図２には、パッキン２３の長手方向に直交する断面が表れている。図５にはパッキン２３の形状と室内側ルーバーパネル２２ａへの取り付け構造を説明する図を示した。
【００３９】
パッキン２３は、室内側ルーバーパネル２２ａの上端に嵌め込まれ得るように、略コ字状に形成された被覆部２３ａと、隣接する室内側のルーバーパネル２２ａと接するように設けられたフィン部２３ｂとを有している。被覆部２３ａのコ字状の内側には、室内側ルーバーパネル２２ａを挟み込むための突起２３ｃが設けられており、当該突起２３ｃにより、パッキン２３が室内側ルーバーパネル２２ａへと強固に取り付けられる。また、被覆部２３ａとフィン部２３ｂとの接合部を含んだ図５にＶで示した面は、極力凹凸が抑えられて形成されている。
パッキン２３の被覆部２３ａ及びフィン部２３ｂの材質については特に限定されないが、透明な樹脂からなることが好ましい。また、被覆部２３ａには、室内側ルーバーパネル２２ａから容易に外れない程度の強度を持たせるために硬質な材料を用い、且つ、フィン部２３ｂには柔軟性を持たせるために軟質な材料を用いることが好ましい。従って、被覆部２３ａとして硬質アクリル樹脂、フィン部２３ｂとして軟質アクリル樹脂を用いることが特に好ましい。
【００４０】
また、室内側ルーバーパネル２２ａの室内側面の上端部には、図５からわかるように切り欠き２２ｂが設けられている。切り欠き２２ｂの深さ（室内側ルーバーパネル２２ａの厚さ方向の大きさ）は、パッキン２３の被覆部２３ａの１つの片の厚さと概ね同じとされている。従って、パッキン１２３を室内側ルーバーパネル２２ａの上端に嵌めこむと、室内側ルーバーパネル２２ａの室内側面と、パッキン２３の室内側面とが概ね面一となる。これにより、閉鎖の姿勢において、隣接する室内側のルーバーパネル２２ａが面一となることに加え、パッキン２３も室内側で凹凸がなく、面一となる。従って、さらに外観上優れたものとなる。
【００４１】
端部部材２４は、図４（ｂ）からわかるように、室内側ルーバーパネル２２ａの幅方向両端のそれぞれに配置される部材である。図６に、室内側ルーバーパネル２２ａの一方の端部に注目した斜視図を示した。
端部部材２４は断面がＬ字状の部材であり、該Ｌ字状の入隅部に室内側ルーバーパネル２２ａの端部角が合わせられるように配置される。また、端部部材２４を室内側ルーバーパネル２２ａに端部部材２４を配置すると図６に符号２４ａで示したように段差が形成され、被係合部２４ａとなる。この被係合部２４ａが、後述する開閉機構３０のホルダー３３の係合部３６ａに係合するように形成されている。
【００４２】
本実施形態では室内側ルーバーパネル２２ａと端部部材２４との段差によりこれを被係合部２４ａが形成されるものとしたがこれに限定されることはなく、ホルダー３３の係合部３６ａに係合することができればよい。従って、端部部材２４に切り欠きや窪みを設けてこれを被係合部２４ａとすることもできる。
【００４３】
ここで、室外側ルーバーパネル２１ａ、室内側ルーバーパネル２２ａは、図３からよくわかるように、その幅方向の長さが縦枠１３、１４の樹脂カバー１７、１８の見付け方向内面間の距離よりも長く形成されている。これにより後述するようにルーバー羽根２０の幅方向両端が室内視から隠蔽される。
【００４４】
また、以上の説明からわかるように、本実施形態におけるルーバー羽根２０は、室外側ルーバー羽根２１と室内側ルーバー羽根２２とが個別に設けられている。そしてこれらの室外側ルーバーパネル２１ａ、室内側ルーバーパネル２２ａは、該開閉機構３０が枠に取り付けられた姿勢でホルダー３３から個別に着脱できるように構成されている。
通常のルーバー窓では室内外方向に配置される一対のルーバーパネルが予めホルダー等により一体化され、これを開閉機構に取り付けるという構成のものが多い。これに対して本実施形態では室外側ルーバー羽根２１と室内側ルーバー羽根２２を別々に開閉機構３０に取り付け可能としている。これにより、ルーバー羽根２０を取り付ける際に、室外側ルーバー羽根２１、室内側ルーバー羽根２２をそれぞれ取り付けることができるので、取り回し易く、上記したように室外側ルーバーパネル２１ａ、室内側ルーバーパネル２２ａの幅方向の長さが縦枠１３、１４の樹脂カバー１７、１８の見付け方向内面間の距離よりも長く形成されている場合であってもその取り付けが容易となる。具体的には後で詳しく説明する。
【００４５】
次に開閉機構３０について説明する。開閉機構３０は、ルーバー羽根２０を滑り出し式に開閉するための機構であり、その断面が図３に表れている。図３からわかるように開閉機構３０は、縦枠１３、１４の見付け方向内側面のうち、樹脂カバー１７、１８より室外側に配置されている。図７に説明のための図を示した。図７は図３に矢印ＶＩＩで示した方向から開閉機構３０を見た図で、開閉機構３０の一部を表している。図７の紙面左が室外側、紙面右が室内側である。
図３、図７からわかるように、開閉機構３０は、連動バー３１、アーム３２、ホルダー３３、及び操作部材５０を有している。このうち、連動バー３１、アーム３２、及びホルダー３３は、縦枠１４側にも設けられている。
【００４６】
連動バー３１は、長い板状の部材であり、該板状である板状部３１ａと、板状部３１ａの見付け方向内側面に設けられる回動軸３１ｂとを有している。回動軸３１ｂは、ルーバー羽根２０が配置される位置に対応して連動バー３１の長手方向に沿って複数設けられている。連動バー３１は、縦枠１３及び縦枠１４のそれぞれに、縦枠１３、１４の長手方向に沿ってスライド可能に配置されている。
【００４７】
アーム３２は、連動バー３１より短い板状の部材であり、図７からわかるように１か所で折れ曲がっている。アーム３２はルーバー羽根２０が配置される位置に対応して複数配置されている。アーム３２の長手方向両端のそれぞれには孔３２ａ、３２ｂが設けられている。アーム３２は、縦枠１３、及び縦枠１４のそれぞれに配置される。そして、縦枠１３、１４に設けられた不図示のアーム固定軸に孔３２ａが回動可能に固定される。
【００４８】
ホルダー３３は、上記した室外側ルーバー羽根２１、室内側ルーバー羽根２２の幅方向端部のそれぞれを保持し、ルーバー羽根２０を所定の位置に維持する部材である。従って、ホルダー３３はルーバー羽根２０に対応して複数設けられている。図７にはホルダー３３の輪郭が表されている。ホルダー３３は、略中央に軸３３ａを有し、これがアーム３２の孔３２ｂと回動可能に取り付けられている。また、ホルダー３３には、開放時に室内側となる端部（上端部）に孔３３ｂが設けられており、これに連動バー３１の回動軸３１ｂが回動可能に挿入されている。
【００４９】
さらに詳しくホルダー３３について説明する。図８に図を示した。図８（ａ）は図７と同じ視点でホルダー３３を見た図（ホルダー３３の傾斜角度は異なる。）、図８（ｂ）は図８（ａ）を室内側から見た斜視図である。
【００５０】
図８からわかるように、ホルダー３３は板状の基板３４を有し、その見付け方向内側面に３つの立設部３５、３６、３７が所定の間隔をおいて立設されている。これにより立設部３５、３６、３７間に間隙３３ｃ、３３ｄが形成される。この間隙３３ｃ、３３ｄに室外側ルーバー羽根２１及び室内側ルーバー羽根２２の端部がそれぞれ挿入されて保持される。すなわち、立設部３５と立設部３６との間には間隙３３ｃが形成され、ここに室外側ルーバー羽根２１の端部が挿入される。ここで、立設部３５の下端は室内側に延びるように底部３５ａが形成され、室外側ルーバー羽根２１の下端面を受けることができ、抜け落ちが防止されている。一方、立設部３６と立設部３７との間には間隙３３ｄが形成され、ここに室内側ルーバー羽根２２の端部が挿入される。ここで、立設部３７の下端は室外側に延びるように底部３７ａが形成され、室内側ルーバー羽根２２の下端面を受けることができ、抜け落ちが防止されている。
【００５１】
図８からわかるように、立設部３６のうち、立設部３５に面する側の面と立設部３７に面する側の面とは平行でなく、所定の角度を有している。また立設部３５、３７は自身が対向する立設部３６の面に略平行になるように配置されている。従って、ここに挿入保持される室外側ルーバー羽根２１と室外側ルーバー羽根２２とは図２からわかるように平行でなく下端側程その間隔が広くなる。
【００５２】
また、立設部３６のうち見付方向内側面には、立設部３７側に向けて係合部としての突起３６ａが設けられている。この突起３６ａは、上記した室内側ルーバー羽根２２の端部部材２４により形成された被係合部２４ａに係合する。これにより室内側ルーバー羽根２２とホルダー３３とがルーバーパネルの幅方向（図８にＶＩＩＩで示した方向）にも強固に連結され、抜けが防止される。詳しくは後で説明する。
【００５３】
図３に戻り、引き続き開閉機構３０について説明する。操作部５０は、図１及び図３からわかるように、樹脂カバー１８の片１８ａに嵌め込まれて固定されており、操作ハンドル５０ａを回動させることによりハンドル操作する部材である。操作部５０により、連動バー３１を上下動させることができ、ルーバー窓１００を開閉することが可能となる。なお、操作部５０から連動バー３１への動力伝達機構については、図面において省略してあるが、公知の伝達機構を適宜選択して用いることができる。また、操作部５０の位置については、樹脂カバー１８に限定されず、樹脂カバー１７、又は樹脂カバー１６に設けられていてもよい。
【００５４】
以上のように構成されたルーバー窓１００は次のように動作して開閉される。図９に説明図を示した。図９は、ルーバー羽根２０の動作、連動バー３１の動作、及びアーム３２の動作の各関係を概略的に示す図である。図９（ａ）はルーバー窓１００閉鎖の姿勢を示しており、図９（ｂ）〜図９（ｅ）に向かって徐々に開放されている。図が煩雑となるのを防ぐため、図９（ａ）にのみ符号を付し、図９（ｂ）〜図９（ｅ）については、符号を省略している。
【００５５】
図９（ａ）に示した閉鎖の姿勢から操作部５０（図３参照）を操作する。すると、連動バー３１が下方に移動する。連動バー３１にはホルダー３３の端部が回動可能に取り付けられているので、ホルダー３３の端部は連動バー３１の移動に追随して下方に移動する。
一方、ホルダー３３は、連動バー３１より室外側である別の部位で縦枠１３、１４に回動可能に固定されたアーム３２に回動可能に固定されている。アーム３２は、縦枠１３、１４に回動可能に固定されているので、連動バー３１が下方に移動しても下方には移動しない。
これにより、ホルダー３３及びここに固定されているルーバー羽根２０は、室内側の端部が下方に移動する一方、室外側の端部が室外側に突き出るとともに、上方に移動するような回動を含む。この動作によりルーバー窓１００は開放される。ここで、各部材が固定される部位が回動可能であることにより上記の動作が円滑に行われる。ルーバー羽根２０を閉鎖する時には図９（ｅ）から遡るように動作する。
このように、本実施形態のルーバー窓は滑り出し式にルーバー羽根２０の開閉が行われる。
【００５６】
次に室外側ルーバー羽根２１及び室内側ルーバー羽根２２を個別に開閉機構３０のホルダー３３に取り付ける手順について説明する。図１０〜図１３に説明図を示した。図１０は室外側ルーバー羽根２１の取り付け手順、図１１は室内側ルーバー羽根の取り付け手順をそれぞれ説明するための図、図１２は最も上に配置される室外側ルーバー羽根２１の取り付け手順、及び図１３は最も上に配置される室内側ルーバー羽根２２の取り付け手順である。各図では紙面左側が室外側、紙面右が室内側である。図１０、図１１では、取付対象は上下方向３つ並列して表したホルダー３３のうち、中央のホルダー３３である。また、取り付け時においてホルダー３３は枠体１０に取り付けられ、上記した操作部５０等により開閉動作に沿った移動、回動が可能とされている。また、取り付け作業をする作業者は室内側から行っている。
【００５７】
図１０（ａ）からわかるように、初めにホルダー３３を若干開放の姿勢とし、対象とするホルダー３３とその上のホルダー３３との間に室外側ルーバー羽根２１を配置する（図１０（ａ）にＸａで示した位置。）。次にこれらホルダー３３の間を通して対象とするホルダー３３の間隙３３ｃの上端部に室外側ルーバー羽根２１の幅方向両端の下端を配置する（図１０（ａ）にＸｂで示した位置。）。
そして図１０（ｂ）からわかるようにそのままルーバー羽根２１をホルダー３３の間隙３３ｃに挿入する。
【００５８】
一方、室内側ルーバー羽根２２は、図１１（ａ）からわかるように、初めにホルダー３３を若干開放の姿勢とし、対象とするホルダー３３とその下のホルダー３３との間に室内側ルーバー羽根２２を配置する（図１１（ａ）にＸＩａで示した位置。）。次にこれらホルダー３３の間を通して対象とするホルダー３３の間隙３３ｄの上端部に室内側ルーバー羽根２２の幅方向両端の下端を配置する（図１１（ａ）にＸＩｂで示した位置。）。
この状態では、室内側ルーバー羽根２２の角度は間隙３３ｄの傾斜角度と合っていないため室内側ルーバー羽根２２の両端部を間隙３３ｄ内に挿入することができない。また、室内側ルーバー羽根２２を間隙３３ｄの傾斜角度に合わせようとしても、室内側スーバー羽根２２の両端部が枠体１０の樹脂カバー１７、１８に引っ掛かってしまい不可能である。
そこで、操作部５０を操作する等して図１１（ｂ）の矢印ＸＩｃで示したように、ホルダー３３の傾斜角度を変更して間隙２２ｄの傾斜角度を室内側ルーバー羽根２２に合わせる。
最後に図１１（ｃ）からわかるようにそのまま室内側ルーバー羽根２２をホルダー３３の間隙３３ｄに挿入する。
【００５９】
次に最も上に配置される室外側ルーバー羽根２１及び室内側ルーバー羽根２２をホルダー３３に取り付ける手順について説明する。
最も上に配置される室外側ルーバー羽根２１は、図１２（ａ）からわかるように、初めにホルダー３３を閉鎖又は若干開放した姿勢とし、最も上に配置されるホルダー３３と横枠１１との間に室外側ルーバー羽根２１を配置する。このとき、室外側ルーバー羽根２１の上端を横枠１１の空間１１ｄ内にその室内側面の上部を片１１ｃに沿わせるように差し込む。一方、室外側ルーバー羽根２１の下端は室外側に突出するように配置する。
この状態では、室外側ルーバー羽根２１の角度は間隙３３ｃの傾斜角度と合っていないため室外側ルーバー羽根２１の両端部を間隙３３ｃ内に挿入することができない。そこで、操作部５０を操作する等して図１２（ａ）の矢印ＸＩＩａで示したように、ホルダー３３の傾斜角度を変更して間隙２２ｃの傾斜角度を室外側ルーバー羽根２１に合わせる。
最後に図１２（ｃ）からわかるようにそのまま室外側ルーバー羽根２１をホルダー３３の間隙３３ｃに挿入する。
【００６０】
上記説明からわかるように、ルーバー窓１００では、室外側ルーバー羽根２１の上端部を横枠１１の空間１１ｄ内に配置した姿勢では、ホルダー３３を滑り出し式に回動させても室外側ルーバー羽根２１が立設部３５に接触しないように構成されている。これにより上記のように室外側ルーバー羽根２１を取り付けることができる。
また、横枠１１において空間１１ｄを形成する室内側の片１１ｃを適切に傾斜させれば室外側ルーバー羽根２１をガイドすることができるのでさらに施工性を向上できる。
【００６１】
一方、最も上に配置される室内側ルーバー羽根２２をホルダー３３に取り付ける手順は次の通りである。
すなわち、最も上に配置される室内側ルーバー羽根２２は、図１３（ａ）からわかるように、初めにホルダー３３を若干開放の姿勢とし、最も上に配置されるホルダー３３とその下に配置されるホルダー３３との間に室内側ルーバー羽根２２を配置する（図１３（ａ）にＸＩＩＩａで示した位置。）。次に、室内側ルーバー羽根２２をホルダー３３より室内側から移動するように該室内側ルーバー羽根２２の上端を横枠１１の空間１１ｄ内に差し込む。一方、室内側ルーバー羽根２２の下端はホルダー３３の室内側に配置する（図１３（ｂ）にＸＩＩＩｂで示した位置。）。
この状態では、室内側ルーバー羽根２２の角度は間隙３３ｄの傾斜角度と合っていないため室内側ルーバー羽根２２の両端部を間隙３３ｃ内に挿入することができない。そこで、操作部５０を操作する等して図１３（ｂ）の矢印ＸＩＩＩｃで示したように、ホルダー３３の傾斜角度を変更して間隙２２ｄの傾斜角度を室内側ルーバー羽根２２に合わせる。
最後に図１３（ｃ）からわかるようにそのまま室内側ルーバー羽根２１をホルダー３３の間隙３３ｄに挿入する。
【００６２】
上記説明からわかるように、ルーバー窓１００では、室内側ルーバー羽根２２の上端部を横枠１１の空間１１ｄ内に配置した姿勢では、ホルダー３３を滑り出し式に回動させても室内側ルーバー羽根２２が立設部３７に接触しないように構成されている。これにより上記のように室内側ルーバー羽根２２を取り付けることができる。
【００６３】
以上説明したようにルーバー窓１００では、室内側ルーバー羽根２１と室外側ルーバー羽根２２を個別にホルダー３３に取り付けることができる。
【００６４】
以上のようなルーバー窓１００によれば、図３からわかるように、ルーバー羽根２０の幅方向の大きさが樹脂カバー１７、１８の見付け方向内側面間よりも広く形成されている。本実施形態では、開閉機構３０やルーバー羽根２０の両端が室内側正面視から完全に隠蔽されている。これにより室内側において外観がシンプルで優れた開口部装置とすることができる。また、室内側から見たとき、樹脂カバー１７、１８によりルーバー羽根２０の端部を覆っているので、熱の移動も低く抑えられて断熱性能も向上させることができる。
本実施形態では、開閉機構３０及びルーバー羽根２０の端部の全てを室内視から隠蔽する態様を説明したが、これに限定されることはなくルーバー羽根の幅方向の大きさが縦枠の見付方向内側間の距離のうち最も短い距離よりも大きいものであればよい。
【００６５】
ところで、このようにルーバー羽根の幅方向の大きさを縦枠の見付方向内側面間の距離のうち最も短い距離よりも大きくすると、ルーバー羽根を室内側から開閉機構に取り付ける施工性に困難が生じる虞がある。しかしながら、本実施形態のルーバー窓１００によれば、上記したようにルーバー羽根２０が、室外側ルーバー羽根２１及び室内側ルーバー羽根２２で個別に開閉機構に着脱できるように構成されている。このとき、横枠１１に空間１１ｄを形成し、ホルダー３３に設けられる立設片３５、３７、及び室内側ルーバー羽根２１、室外側ルーバー羽根２２の上下方向高さとの関係により、最も上に配置される室外側ルーバー羽根２１、室内側ルーバー羽根２２も容易に個別で開閉機構に着脱できる。
【００６６】
また、ルーバー窓１００は、上記したように滑り出し式にルーバー羽根２０を開閉させることができる。これにより、ルーバー羽根２０を開放させる際には、ルーバー羽根２０は室内側に移動する部位がなく、室外側に突出する態様である。従って、室内側にルーバー羽根２０が回動するためのスペースを確保しておく必要がない。
【００６７】
一方、このような滑り出し式に開閉するルーバー窓にすると、ルーバー羽根を開放した時に、その大部分が室外側に突出する姿勢となる。このような姿勢では、ルーバー羽根の両端に配置されたホルダーがルーバー羽根の幅方向外側に移動し、ホルダーがルーバー羽根を幅方向に保持する力が弱まる虞があった。
これに対してルーバー窓１００によれば、上記したように、室内側ルーバー羽根２２に端部部材２４が設けられ、これにより形成される被係合部２４ａがホルダー３３の係合部としての突起３６ａと係合して常にホルダー３３を引き寄せるように作用する。これにより滑り出し式に開閉する場合における上記の問題を解決することができる。本実施形態では、ルーバー羽根２０は室内外のルーバー羽根（２１、２２）が個々に着脱可能とされているので、いずれかのルーバー羽根においてこのように構成されていればよい。
【００６８】
また、滑り出し式に開閉するルーバー窓１００とすることで、室内側ルーバーパネル２２ａを面一となるように並列することができる。従って、室内視の外観が一層優れるルーバー窓１００となる。
【００６９】
さらに、滑り出し式に開閉することにより室内側ルーバーパネル２２ａが閉鎖の姿勢以上に室内側に入らないので、シール部材１９を、室内側ルーバーパネル２２ａよりも室内側に設けるとともに、当該室内側ルーバーパネル２２ａと接するように設けることができる。これにより、気密ライン、断熱ラインの見込み方向位置をそろえることができる。従って、ルーバー窓１００の断熱性、気密性を従来よりも大きく向上させることができる。
【００７０】
以下に、その他に取り得る形態について説明する。
本実施形態のルーバー窓１００では、図２からわかるように、閉鎖の姿勢で室内側ルーバー羽根２２が面一となるように構成されている。このとき上記したように、室内側ルーバー羽根２２の上面にはパッキン２３が取り付けられている。これによれば、図１４に示したように、室内側ルーバーパネル２２ａの上縁に備えられたパッキン２３は、ルーバー窓閉鎖の姿勢において、軟質のフィン部２３ｂが押しつぶされた状態で、隣接する室内側ルーバーパネル２２ａの端部と接している。これにより、室内側ルーバーパネル２２ａが面一である場合でも気密性、水密性を確保することができる。
【００７１】
次に室外側ルーバー羽根２１の押さえ部材４０について説明する。室外側ルーバー羽根２１の幅方向端部は上記したようにホルダー３３の間隙３３ｃ（図８参照）に挿入され、適切に保持される。ただし、さらに確実に室外側ルーバー羽根２１をホルダー３３に保持するために、押さえ部材４０が用いられてもよい。図１５に押さえ部材４０の斜視図を示した。
押さえ部材４０は、板状の基板４１を有し、その一方の面側の一端側に押さえ突起４２が立設している。また、基板４１の押さえ突起４２と同じ側の面の他端側には押さえ突起４２と略平行に配列された２つの突起４３が設けられている。
一方、図８からわかるように、ホルダー３３には立設部３６のうち、立設部３７側の面で上部に係合溝３６ｂが設けられている。
【００７２】
このような押さえ部材４０は次のように配置される。図１６に押さえ部材４０の取り付けを説明する図を表した。図１６からわかるように、押さえ部材４０を室内側ルーバーパネル２２ａと室外側ルーバーパネル２１ａとの間に配置する。このとき、押さえ部材４０の押さえ突起４２が室外側ルーバーパネル２１ａの上端に引っ掛かるようにする。その後、図１６に直線矢印で示したように押さえ部材４０をスライドさせ、ホルダー３３に係合させる。具体的には、押さえ部材４０の突起４３をホルダー３３の係合溝３６ｂに挿入することにより係合させる（図８も参照）。従って、２つの突起４３は、室外側のルーバーパネル２１ａの上縁に沿った方向に並べられている。ただし、突起は必ずしも２つ配置されている必要はなく、１つ、又は３つ以上であってもよい。
【００７３】
このように押さえ部材４０を設けることにより、押さえ部材４０の押さえ突起４２が室外側ルーバーパネル２１ａに引っ掛かるように配置されるので、さらに室外側ルーバー羽根２１を確実にホルダー３３に保持させることができる。また、このように、スライドさせてホルダー３３に取り付け可能である押さえ部材４０によれば、枠体、樹脂カバー等によりホルダーが室内視で覆われ隠れている場合であっても、押さえ部材の取り付けが容易である。
【００７４】
次にルーバーパネルの他の態様について説明する。上記した実施形態におけるルーバー窓１００では、室外側ルーバーパネル２１ａ、室内側ルーバーパネル２２ａとも、樹脂、又はガラスによる中実板状の部材である例を説明した。本発明ではその他、次のようなルーバーパネルを適用することもできる。図１７に説明のための図を示した。図１７は、図２と同じ視点でルーバー羽根１２０を表した図であり、ルーバー羽根１２０の断面図である。
ルーバー羽根１２０では、室内側ルーバーパネル１２２ａが熱伝導率の低い樹脂により形成されており、断熱性を向上させている。さらに、室内側ルーバーパネル１２２ａは図１７からもわかるように、その内部が中空の複数の空間に分かれており、ここに空気層が形成される。従って、断熱性のさらなる向上が図られている。ここに適用される樹脂は透光性を有するとともに、熱伝導率が低いことが好ましく、特に限定されることはないが、性能に加え、入手性、価格、加工性の観点からアクリルを用いることができる。
【００７５】
次に、ルーバー羽根の配置に関する他の態様を説明する。ルーバー窓１００では、ルーバー羽根２０の室内側ルーバー羽根２２のみが、面一に並列された形態について説明したが、本発明はこれに限定されない。以下、図１８を参照しつつ、本発明の他の態様であるルーバー窓１００’について説明する。図１８は、ルーバー窓１００’の垂直方向縦断面図であり、図２に相当する。図１８において、図２と同様の構成については、同一の符号を付し、説明を省略する。
【００７６】
図１８に示されるように、ルーバー窓１００’においては、ルーバー羽根２０’に関して、室内側ルーバー羽根２２だけでなく、室外側ルーバー羽根２１’についても互いに面一となるように並列されている。このような形態とすれば、室内視だけでなく、室外視の外観にも優れるルーバー窓１００’とすることができる。
【００７７】
以上、現時点において最も実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うルーバー窓、ルーバー窓の施工方法もまた本発明の技術的範囲に包含されるものとして理解されなければならない。
【符号の説明】
【００７８】
１０  枠体
１１  横枠
１２  横枠
１３  縦枠
１４  縦枠
１５  樹脂カバー
１６  樹脂カバー
１７  樹脂カバー
１８  樹脂カバー
１９  シール部材
２０  ルーバー羽根
２１  室外側ルーバー羽根
２１ａ  室外側ルーバーパネル
２２  室内側ルーバー羽根
２２ａ  室内側ルーバーパネル
２３  パッキン
２４  端部部材
３０  開閉機構
３１  連動バー
３２  アーム
３３  ホルダー
３５  立設部
３５ａ  底部
３６  立設部
３６ａ  突起（係合部）
３６ｂ  係合溝
３７  立設部
５０  操作部
５０ａ  ハンドル
１００  ルーバー窓
【図１】
0005564404.tif 000002
【図２】
0005564404.tif 000003
【図３】
0005564404.tif 000004
【図４】
0005564404.tif 000005
【図５】
0005564404.tif 000006
【図６】
0005564404.tif 000007
【図７】
0005564404.tif 000008
【図８】
0005564404.tif 000009
【図９】
0005564404.tif 000010
【図１０】
0005564404.tif 000011
【図１１】
0005564404.tif 000012
【図１２】
0005564404.tif 000013
【図１３】
0005564404.tif 000014
【図１４】
0005564404.tif 000015
【図１５】
0005564404.tif 000016
【図１７】
0005564404.tif 000017
【図１８】
0005564404.tif 000018
【図１６】
0005564404.tif 000019